(57)【要約】  センサーを内蔵している講義者用端末機とセンサーを内臓した受講者用端末機の間でネットワークを用いた学習システムであって、別の切替装置を用いることなく講義者の教材にある制御アイコンを選択することによって受講者の全体、グループまたは個人別に音声及び学習コンテンツを提供でき、各受講者の端末機を講義者が制御できるようにしている。
2010527044.tif 000002
【特許請求の範囲】
【請求項１】
教材の学習対象物内容を認識して該当の音声信号を出力し且つビデオ信号を表示するとともに、前記教材に形成された制御アイコンを認識して該当の音声または教材の学習対象物に対応するコンテンツデータを受講者に選択的に伝送し、受講者用端末機を選択的に制御する信号を出力する講義者用端末機と、
前記教材の学習対象物内容を認識して該当の音声信号を出力しかつビデオ信号を表示するとともに、前記講義者用端末機から伝送された音声または学習対象物に対応するコンテンツデータを受信して該当の音声信号を出力しかつビデオ信号を表示する複数個の受講者用端末機と、
前記講義者用端末機と前記複数個の受講者用端末機間の通信を行うネットワークと、
を含んで構成されることを特徴とする、ネットワークを用いた学習システム。
【請求項２】
前記教材は、前記学習対象物を表示する複数個のインデックス、及び前記制御アイコンが印刷されることを特徴とする、請求項１に記載のネットワークを用いた学習システム。
【請求項３】
前記講義者用端末機は、前記教材の学習対象物を示すインデックスまたは制御アイコンの内容を認識してデジタル信号に変換したり、音声信号を増幅して電気的信号として出力する第１入力部と、
前記第１入力部から出力されたインデックスを分析し、該インデックスに対応する既に格納されているオーディオ及びビデオ信号を出力及び表示したり、前記第１入力部から出力された制御アイコンを分析し、前記第１入力部から出力された音声信号または前記第１入力部で読み取った学習対象物のコンテンツデータを選択的に出力する処理部と、
前記処理部の制御により、前記処理部で処理されたコンテンツデータ及び前記入力部から入力された音声信号を、ネットワークを通じて前記受講者用端末機に選択的に送信する通信部と、
を含んで構成されることを特徴とする、請求項１に記載のネットワークを用いた学習システム。
【請求項４】
前記第１入力部は、
前記教材の学習対象物を示すインデックスまたは前記制御アイコンを認識する第１センサーと、
前記第１センサーで認識されたインデックスまたは制御アイコン内容をデジタル信号に変換して出力する第１変換部と、
講義者の音声信号を電気的な信号に変換するマイクロホンと、
前記マイクロホンから出力された電気的な信号を増幅して出力する増幅器と、
を含んで構成されることを特徴とする、請求項３に記載のネットワークを用いた学習システム。
【請求項５】
前記処理部は、
前記学習対象物に相応するオーディオ及びビデオ信号を格納しているメモリーと、
前記第１入力部から出力されたインデックスを分析し、該インデックスに対応する前記メモリーに格納されているオーディオ及びビデオ信号を読み取って出力し、前記第１入力部から出力された制御アイコンを分析し、前記第１入力部から出力された音声信号及び前記コンテンツデータを前記受講者に選択的に出力するように制御する第１中央処理装置と、
前記第１中央処理装置から出力された前記インデックスに対応するオーディオ信号を処理してスピーカー、ヘッドホンまたは無線で出力する第１オーディオ出力部と、
前記第１中央処理装置から出力された前記インデックスに対応するビデオ信号を処理して表示する第１表示部と、
を含んで構成されることを特徴とする、請求項３に記載のネットワークを用いた学習システム。
【請求項６】
前記通信部は、
前記処理部の制御により、受講者に選択的に前記第１入力部の音声信号またはコンテンツデータを伝送するための通信パケットを構成する第１通信モジュールと、
前記第１通信モジュールから出力された通信パケットを各受講者用端末機に出力するために通信ラインを連結する第１モジュラージャックと、
を含んで構成されることを特徴とする、請求項３に記載のネットワークを用いた学習システム。
【請求項７】
前記受講者用端末機は、
前記教材の学習対象物を示すインデックスを認識してデジタル信号に変換して出力する第２入力部と、
前記講義者用端末機から出力された通信フォーマットを分析して前記音声信号及びコンテンツデータを受信する受信部と、
前記第２入力部から出力されたインデックスを分析し、該インデックスに相応する既に格納されているオーディオ及びビデオ信号を出力及び表示したり、前記受信部を通して前記講義者用端末機の第１入力部で生成された音声信号を受信してスピーカーから出力したり、前記受信部を通して前記講義者用端末機から出力されたコンテンツデータを受信し、該インデックスに相応する既に格納されているオーディオ及びビデオ信号を出力及び表示する第２処理部と、
を含んで構成されることを特徴とする、請求項１に記載のネットワークを用いた学習システム。
【請求項８】
前記第２入力部は、
前記教材の学習対象物を示すインデックスを認識するための第２センサーと、
前記第２センサーで認識されたインデックス内容をデジタル信号に変換して出力する第２変換部と、
を含んで構成されることを特徴とする、請求項７に記載のネットワークを用いた学習システム。
【請求項９】
前記受信部は、
前記講義者用端末機から出力された通信パケットを分析して該当の信号のみを受信する第２通信モジュールと、
前記講義者用端末機の通信部と前記通信モジュールとの間に通信ラインを連結するための第２モジュラージャックと、
を含んで構成されることを特徴とする、請求項７に記載のネットワークを用いた学習システム。
【請求項１０】
前記第２処理部は、
前記各インデックスに相応するオーディオ及びビデオ信号を格納している第２メモリーと、
前記第２入力部または受信部から入力されたインデックスまたはコンテンツデータを分析し、該インデックスに相応する前記メモリーに格納されているオーディオ及びビデオ信号を読み取って出力する第２中央処理装置と、
前記第２中央処理装置から出力された前記インデックスに対応するオーディオ信号または前記受信部を通して入力された音声信号をスピーカー、ヘッドホンまたは無線で出力する第２オーディオ出力部と、
前記第２中央処理装置から出力された前記インデックスまたはコンテンツデータに対応するビデオ信号を表示する第２表示部と、
を含んで構成されることを特徴とする、請求項７に記載のネットワークを用いた学習システム。
【請求項１１】
前記ネットワークは、
講義者用端末機及び複数の受講者用端末機に電源を供給するための電源供給ラインと、
前記講義者用端末機から受講者用端末機に音声信号を伝送するための音声信号ラインと、
前記講義者用端末機から受講者用端末機に通信フォーマットにしたがって各受講者用端末機のＩＤ、命令語及びコンテンツデータなどを伝送するためのデータ伝送ラインと、
を含んで構成されることを特徴とする、請求項１に記載のネットワークを用いた学習システム。
【請求項１２】
前記制御アイコンは、講義者が音声信号を受講者に送出するためのＭＩＣアイコンと、
講義者がコンテンツを受講者に送出するためのコンテンツアイコンと、
前記音声信号及びコンテンツを全体受講者に伝送するための全体アイコンと、
各受講者が個別的に学習するように制御するための個別学習アイコンと、
受講者を複数個のグループに区分し、各グループ別に前記音声信号またはコンテンツを送出するための少なくとも一つのグループアイコンと、
受講者に個人別に前記音声信号またはコンテンツを送出するための少なくとも一つの個人アイコンと、
受講者用端末機の電源を強制にオフするための電源アイコンと、
を含んで構成されることを特徴とする、請求項１に記載のネットワークを用いた学習システム。
【発明の詳細な説明】
【技術分野】
【０００１】
本発明は、語学学習システムに係り、特に、センサーを内蔵している講義者用端末機と受講者用端末機との間にネットワークを構成し、別の切替装置を使用することなく講義者の教材にある制御アイコンを選択することによって、受講者の全体、グループまたは個人に音声及び学習コンテンツを提供できるとともに、各受講者の端末機を講義者が制御できる、ネットワークを用いた学習システムに関するものである。
【背景技術】
【０００２】
一般に、外国語などを学習するグループ形態の学習室には、講義者の音声を受講者に伝達するためのマイクロホンシステムと、学習用コンテンツを聞かせるためのＣＤやカセットプレーヤーのようなオーディオ機器またはデジタル機器と、これらの機器から出力される音声を受講者が聞くときに使用するイヤホン、ヘッドホン、無線ヘッドセットなどの装置と、を具備しなければならない。
【０００３】
従来の学習システムを説明すると、下記の通りである。
【０００４】
図１は、従来の学習システムを示すブロック構成図である。
【０００５】
従来の学習システムは、図１に示すように、講義者の音声信号を電気的な信号に変換するマイクロホン１と、マイクロホン１で変換された電気的な信号を増幅する増幅器２と、増幅器２で増幅された信号を各受講者のヘッドホンに伝送するためのコントロールボックス３と、コントロールボックス３を通じて送信された電気的信号を音声信号に変換して各受講者に聞かせる複数個のヘッドホン４と、を備えて構成される。
【０００６】
上記のように構成される従来の学習システムは、講義者がオーディオ信号を全体受講者に同時に送ることは可能であるが、グループまたは個別の受講者に限定してオーディオ信号を送ることができず、グループまたは個別にオーディオ信号を送るためには、これを制御するための別の装置を設けなければならなかった。
【０００７】
また、上記のように構成される従来の学習システムは、受講者が単独で自身が希望する学習内容及び学習位置などを選択して效率的に学習することは不可能であった。なお、上記のように構成される従来の学習システムは、受講者の立場は考慮せず、学習システムの生産者、さらには学習システム運営者の立場のみを考慮した結果であるといえる。
【発明の概要】
【発明が解決しようとする課題】
【０００８】
本発明は、上記の問題点を解決するためのもので、その目的は、講義者が講義者用端末機を通じて教材の制御アイコンを選択すると、音声または教材に該当するコンテンツを受講者の全体、グループまたは個人別に伝送でき、受講者の端末機を、全体、グループまたは個人別に制御できる他、受講者単独でも教材に該当するコンテンツ内容を選択して学習できる、ネットワークを用いた学習システムを提供することにある。
【０００９】
本発明の他の目的は、既存のラボ（Ｌａｂ）形態の学習室を変更せずにネットワークを構成できるので、最小限の設置コストで最大の学習効果が得られる、ネットワークを用いた学習システムを提供することにある。
【００１０】
本発明のさらに他の目的は、学習室で学習したコンテンツを学習室以外の場所でも使用することができる、ネットワークを用いた学習システムを提供することにある。
【課題を解決するための手段】
【００１１】
上記目的を達成するための本発明に係るネットワークを用いた学習システムは、教材の学習対象物内容を認識して該当の音声信号を出力しかつビデオ信号を表示するとともに、教材に形成された制御アイコンを認識して該当の音声または教材の学習対象物に対応するコンテンツデータを受講者に選択的に伝送し、受講者用端末機を選択的に制御する信号を出力する講義者用端末機と、教材の学習対象物内容を認識して該当の音声信号を出力しかつビデオ信号を表示するとともに、講義者用端末機から伝送された音声または学習対象物に対応するコンテンツデータを受信して該当の音声信号を出力しかつビデオ信号を表示する複数個の受講者用端末機と、講義者用端末機と複数個の受講者用端末機間の通信を行うネットワークと、を含んでなる構成とした。
【発明の効果】
【００１２】
本発明のネットワークを用いた学習システムによると、下記の効果が得られる。
【００１３】
第一、受講者用端末機を用いて単独でも教材に印刷されたインデックスをセンサーを通じて認識し、該インデックスに対応するオーディオ信号及びビデオ信号を出力及び表示するので、受講者単独でも所望のコンテンツ内容を選択して学習することができる。
【００１４】
第二、講義者が講義者用端末機を通じて教材の制御アイコンを選択すると、音声または教材に対応するコンテンツ内容を受講者の全体、グループまたは個人別に伝送できるとともに、各受講者用端末機を制御でき、結果として学習効率を向上させることができる。
【００１５】
第三、別の装置を備えずに複数の端末機とモジュラージャックで連結される通信線のみで学習室を構成できるので、設置コストを最小化することができる。
【００１６】
第四、教材と端末機のみを具備すると、学習室以外の場所でも学習することができる。
【図面の簡単な説明】
【００１７】
【図１】従来の学習システムを示す概略図である。
【図２】本発明の一実施例による、ネットワークを用いた学習システムを示す概略図である。
【図３】本発明の実施例によるネットワークを用いた学習システムにおける講義者用端末機の具体的な構成ブロック図である。
【図４】本発明の実施例によるネットワークを用いた学習システムにおける受講者用端末機の具体的な構成ブロック図である。
【図５】本発明によるネットワーク構成図である。
【図６】本発明の実施例によるネットワークを用いた学習システムの制御アイコン構成図である。
【図７】本発明による講義者用端末機の動作順序図である。
【図８】本発明による受講者用端末機の動作順序図である。
【発明を実施するための形態】
【００１８】
以下、本発明の好適な実施例に係るネットワークを用いた学習システムを、添付の図面を参照しつつ具体的に説明する。
【００１９】
図２は、本発明の実施例によるネットワークを用いた学習システムを簡略に示す構成図であり、図３は、本発明の実施例によるネットワークを用いた学習システムにおける講義者用端末機の具体的な構成ブロック図であり、図４は、本発明の実施例によるネットワークを用いた学習システムにおける受講者用端末機の具体的な構成ブロック図である。
【００２０】
本発明の実施例によるネットワークを用いた学習システムは、図２に示すように、教材１１０の学習対象物内容を認識して該当の音声信号を出力し且つビデオ信号を表示するとともに、教材１１０に形成された制御アイコンを認識して該当の音声または教材に対応するコンテンツ内容を受講者の全体、グループまたは個人別に伝送でき、受講者の端末機を全体、グループまたは個人別に制御できる講義者用端末機１２０と、教材１１０の学習対象物内容を認識して該当の音声信号を出力し且つビデオ信号を表示するとともに、講義者用端末機１２０から伝送された音声または学習対象物に対応するコンテンツ内容を受信して該当の音声信号を出力し且つビデオ信号を表示する複数個の受講者用端末機１３０と、講義者用端末機１２０と複数個の受講者用端末機１３０との間で通信を行うネットワーク１４０と、を含んで構成される。
【００２１】
ここで、教材１１０には、学習対象物を表示するバーコードまたは点などのような記号からなる複数個のインデックス１１１が印刷され、インデックス１１１が形成されていない教材１１０の上側または下側には制御アイコン１１２が印刷されている。
【００２２】
次に、講義者用端末機１２０及び受講者用端末機１３０の構成についてより具体的に説明する。
【００２３】
講義者用端末機１２０は、図３に示すように、教材１１０の学習対象物を示すインデックス１１１または制御アイコン１１２の内容を認識してデジタル信号に変換する、または、音声信号を増幅して電気的信号として出力する入力部１５０と、入力部１５０から出力されたインデックス１１１を分析し、該インデックスに相応する既に格納されているオーディオ及びビデオ信号を出力及び表示する、または、入力部１５０から出力された制御アイコン１１２を分析し、入力部１５０から出力された音声信号または入力部１５０で読み取られた学習対象物のインデックスを受講者の全体、グループまたは個人に出力する処理部１６０と、処理部１６０の制御により、処理部１６０で処理されたコンテンツ及び入力部１５０から入力された音声信号を、直列通信ラインを通じて受講者全体、グループまたは個人別に送信する通信部１７０と、を含んで構成される。
【００２４】
ここで、入力部１５０は、教材１１０の学習対象物を示すインデックス１１１または制御アイコン１１２の内容を認識するセンサー１５１と、センサー１５１で認識されたインデックス１１１または制御アイコン１１２の内容をデジタル信号に変換して出力する変換部１５２と、講義者の音声信号を電気的な信号に変換するマイクロホン１５３と、マイクロホン１５３から出力された電気的な信号を増幅して出力する増幅器１５４と、を含んでなる。
【００２５】
ここで、センサー１５１は、光センサーで構成され、また、インデックス１１１または制御アイコン１１２に接近しなければならないから、端末機の先端に形成されることが好ましい。
【００２６】
処理部１６０は、各インデックス１１１に対応するオーディオ及びビデオ信号を格納しているメモリー１６２と、入力部１５０から出力されたインデックス１１１を分析してこのインデックスに対応するメモリー１６２に格納されているオーディオ及びビデオ信号を読み取って出力し、また、入力部１５０から出力された制御アイコン１１２を分析し、入力部１５０から出力された音声信号及びインデックスデータが受講者全体、グループまたは個人別に選択的に出力されるように制御する中央処理装置１６１と、中央処理装置１６１から出力されたインデックス１１１に相応するオーディオ信号を処理してスピーカーに出力するオーディオ出力部１６３と、オーディオ出力部１６３から出力されたオーディオ信号をヘッドホンに出力するためのヘッドホンジャック１６４と、オーディオ出力部１６３から出力されたオーディオ信号を無線で送出する無線送信部１６５と、中央処理装置１６１から出力されたインデックス１１１に対応するビデオ信号を処理して表示する表示部１６６と、を含んで構成される。
【００２７】
ここで、表示部１６６は、端末機の体積及び消費電力を減らすためにＬＣＤとすることが好ましい。
【００２８】
通信部１７０は、処理部１６０の中央処理装置１６１の制御により、受講者全体、グループまたは個人別に通信パケットを構成する通信モジュール１７１と、通信モジュール１７１から出力された通信パケットを各受講者用端末機に出力するために通信ラインを連結するモジュラージャック１７２と、を含んで構成される。
【００２９】
受講者用端末機１３０は、図４に示すように、教材１１０の学習対象物を示すインデックス１１１の内容を認識しそれをデジタル信号に変換して出力する入力部１８０と、講義者用端末機１２０から出力された音声信号及びインデックスを受信する受信部１９０と、入力部１８０から出力されたインデックス１１１を分析し、該インデックスに相応する既に格納されているオーディオ及びビデオ信号を出力及び表示する、または、講義者用端末機１２０の入力部１５０で生成された音声信号を受信部１９０を通じて受信してスピーカーから出力する、または、講義者用端末機１２０から出力されたインデックスを受信部１９０を通じて受信し、該インデックスに対応する既に格納されているオーディオ及びビデオ信号を出力及び表示する処理部２００と、を含んで構成される。
【００３０】
ここで、入力部１８０は、教材１１０の学習対象物を示すインデックス１１１の内容を認識するセンサー１８１と、センサー１８１で認識されたインデックス１１１の内容をデジタル信号に変換して出力する変換部１８２と、を含んで構成される。
【００３１】
センサー１８１も同様、光センサーで構成され、受講者用端末機１３０の先端に形成されることが好ましい。
【００３２】
受信部１９０は、講義者用端末機１２０から出力された通信パケットを分析して該当の信号のみを受信する通信モジュール１９１と、講義者用端末機１２０の通信部１７０と受講者用端末機１３０の通信モジュール１９１との間に通信ラインを連結するためのモジュラージャック１９２と、を含んで構成される。
【００３３】
処理部２００は、各インデックス１１１に対応するオーディオ及びビデオ信号を格納しているメモリー２０２と、入力部１８０または受信部１９０から入力されたインデックス１１１を分析し、該インデックスに対応するメモリー２０２に格納されているオーディオ及びビデオ信号を読み取って出力する中央処理装置２０１と、中央処理装置２０１から出力されたインデックス１１１に対応するオーディオ信号または受信部１９０から入力された音声信号をスピーカーに出力するオーディオ出力部２０３と、オーディオ出力部２０３から出力されたオーディオ信号または音声信号をヘッドホンに出力するためのヘッドホンジャック２０４と、オーディオ出力部２０３から出力されたオーディオ信号または音声信号を無線で送出するための無線送信部２０５と、中央処理装置２０１から出力されたインデックス１１１に対応するビデオ信号を処理して表示する表示部２０６と、を含んで構成される。
【００３４】
表示部２０６も同様、ＬＣＤとすることが好ましい。
【００３５】
図５は、本発明に係るネットワーク構成図である。
【００３６】
本発明に係るネットワークは、図５に示すように、講義者用端末機１２０及び受講者用端末機１３０に電源を供給するための電源供給ライン５１と、講義者用端末機１２０から受講者用端末機１３０に音声信号を伝送するための音声信号ライン５２と、講義者用端末機１２０から受講者用端末機１３０に通信フォーマットにしたがって各受講者用端末機のＩＤ、命令語コンテンツデータなどを伝送するためのデータ伝送ライン５３と、を含んで構成される。
【００３７】
ここで、音声信号ライン５２には、信号ラインの長さによる音声信号の損失を復旧するための増幅器が複数個設けられる。そして、ネットワークの有線通信は、ＲＳ−４２２またはＲＳ−４８５方式を用いることが好ましい。
【００３８】
次に、本発明の実施例によるネットワークを用いた学習システムの制御アイコンについて説明する。
【００３９】
図６は、本発明の実施例によるネットワークを用いた学習システムにおける制御アイコン構成図である。
【００４０】
本発明に係る制御アイコンは、講義者が音声信号を受講者に送出するためのＭＩＣアイコン１１と、講義者がコンテンツ教材の学習対象物のインデックスを受講者に送出するためのコンテンツ（ｃｏｎｔｅｎｔｓ）アイコン１２と、音声信号及びコンテンツを全体受講者に伝送するための全体（Ａｌｌ−ｓｅｌｅｃｔｉｏｎ）アイコン１３と、各受講者が個別的に学習するように制御するための個別学習（ｉｎｄｉｖｉｄｕａｌ−ｓｅｌｅｃｔｉｏｎ）アイコン１４と、受講者を複数のグループに区分し、各グループ別に音声信号またはコンテンツを送出するための第１〜第５グループ（Ｇｒｏｕｐ）アイコン１６〜２０と、受講者個人別に音声信号またはコンテンツを送出するための個人アイコン２１〜３１と、受講者用端末機の電源を強制にオフするための電源（ＯＦＦ）アイコン１５と、を含んで構成される。
【００４１】
教材１１０には約６５，０００個程度の英語文章、またはハングル文章が印刷されており、この個数は、教材を選択した後にコンテンツを選択すると６５，０００ｘ１９２個に拡張されることもでき、各文章ごとにインデックスが与えられている。このような制御アイコンは教材１１０の各頁に印刷されることもでき、奇数頁または偶数頁のいずれかに選択的に印刷されることもできる。
【００４２】
図示してはいないが、講義者用端末機１２０の通信モジュール１７１と受講者用端末機１３０の通信モジュール１９１を、無線通信できるジグビー（Ｚｉｇｂｅｅ）通信モジュール、ブルートゥース（Ｂｌｕｅｔｏｏｔｈ）通信モジュールなどの無線通信モジュールとすれば、講義者用端末機１２０と複数の受講者用端末機１３０との通信を無線で行うことができる。
【００４３】
上記のように構成された本発明によるネットワークを用いた学習システムの動作について説明すると、下記の通りである。
【００４４】
まず、講義者用端末機１２０及び受講者用端末機１３０はそれぞれ独立的に、教材１１０に印刷されたインデックス１１１を入力部のセンサー１５１，１８１を通して認識し、それに対応するオーディオ信号及びビデオ信号をメモリー１６２，２０２から読み取ってスピーカー／ヘッドホン及び表示部１６６，２０６を通じて出力及び表示する。
【００４５】
すなわち、教材１１０に印刷されたインデックス１１１を入力部のセンサー１５１，１８１を通して認識し、変換部１５２，１８２でデジタル信号に変換して出力する。
【００４６】
そして、中央処理装置１６１，２０１は、変換されたデジタルデータを分析し、インデックス１１１に対応するオーディオ信号及びビデオ信号をメモリー１６２，２０２から読み取って出力する。すると、オーディオ出力部１６３，２０３は、当該オーディオ信号をスピーカー／ヘッドホンから出力したり無線送信部１６５，２０５から出力する。また、表示部１６６，２０６は、当該ビデオ信号をＬＣＤに表示する。
【００４７】
そして、講義者用端末機１２０は、制御アイコン（図６）を読み込み、受講者用端末機全体、グループまたは個人別に音声信号及びインデックスに該当するデータを出力する。これについて具体的に説明すると、下記の通りである。
【００４８】
図７は、本発明による講義者用端末機の動作順序図である。
【００４９】
まず、各受講者用端末機１３０の個人別、全体及びグループを選択するためのＩＤが与えられる。すなわち、各受講者用端末機１３０には個人別ＩＤ（例えば、０１ＨからＦ０Ｈまで）が与えられており、受講者用端末機１３０全体を選択するＩＤ（例えば、ＦＦＨ）、第１グループを選択するためのＩＤ（例えば、ＦＡＨ）、第２グループを選択するためのＩＤ（例えば、ＦＢＨ）、第３グループを選択するためのＩＤ（例えば、ＦＣＨ）、第４グループを選択するためのＩＤ（例えば、ＦＤＨ）、第５グループを選択するためのＩＤ（例えば、ＦＥＨ）が与えられる。
【００５０】
そこで、制御アイコンを通じて各受講者用端末機に選択的に音声信号及びインデックス信号を出力したり各受講者用端末機を制御したりする場合について説明する。
【００５１】
まず、受講者用端末機を選択するための制御アイコンを認識する（１Ｓ）。すなわち。講義者用端末機１２０のセンサー１５１を通じて、図６に示す制御アイコンのうち、全体アイコン１３、第１〜第５グループアイコン１６〜２０のいずれか一つ、または個人別アイコン２１〜３１のいずれか一つを選択する。
【００５２】
このように、上記アイコンのうちいずれか一つがセンサー１５１を通じて認識されると、中央処理装置１６１は、選択されたアイコンに対してＩＤを与える（２Ｓ、３Ｓ、４Ｓ）。すなわち、全体アイコン１３が選択されると、それに対応するＩＤ（ＦＦＨ）を与え（２Ｓ）、グループが選択されるとそれに対応するＩＤ（ＦＡＨ、ＦＢＨ、ＦＣＨ、ＦＤＨ、ＦＥＨ）のうち一つを与え（３Ｓ）、または、個人別ＩＤ（０１Ｈ〜Ｆ０Ｈのうち一つ）を与える（４Ｓ）。
【００５３】
そして、選択された受講者用端末機１３０に音声信号を送信するかコンテンツインデックスを送信するかによってＭＩＣアイコン１１またはＣｏｎｔｅｎｔｓアイコン１２を選択する（５Ｓ）。
【００５４】
もし、ＭＩＣアイコン１１が選択されると、中央処理装置１６１は、講義者用端末機１２０のマイクロホン１５３から出力された音声信号が通信ライン（図５）のうちオーディオ専用ラインに伝送されるように制御し、マイクロホン１５３に入力された音声信号を伝送する。
【００５５】
もし、Ｃｏｎｔｅｎｔｓアイコン１２が選択されると、中央処理装置１６１は通信モジュール１７１を活性化させ（７Ｓ）、続いて、センサー１５１を通して入力されるインデックスに該当するコンテンツデータを伝送する（８Ｓ）。
【００５６】
また、図示してはいないが、上記のようにアイコンを選択して進行する途中で各受講者用端末機１３０をリセットするためには、個別学習アイコン１４を選択して伝送したり、各受講者用端末機１３０の電源をオフしたい場合は電源（ＯＦＦ）アイコン１５を選択して伝送する。
【００５７】
一方、受講者用端末機１３０は、講義者用端末機１２０から送出された音声信号またはコンテンツデータを選択的に受信して出力したり表示したりする。これについて具体的に説明すると、下記の通りである。
【００５８】
図８は、本発明による受講者用端末機の動作順序図である。
【００５９】
受講者用端末機１３０の中央処理装置２０１は、通信ラインを通じて入力される通信フォーマットのヘッドデータに含まれたＩＤを認識し、該認識されたＩＤが自身の端末機に該当するＩＤか否かを判断する（１１Ｓ）。
【００６０】
もし、自身の端末機に該当しないＩＤである場合、通信フォーマットの命令語及びインデックスデータを無視し（１２Ｓ）、自身の端末機に該当するＩＤである場合は、通信フォーマットの命令語及びインデックスデータを受信する（１３Ｓ）。
【００６１】
そして、上記命令語がＭＩＣアイコン１１による音声信号であれば（１４Ｓ）、該当のデータをオーディオ出力部で処理し、スピーカー／ヘッドホンまたは無線送信部から出力する（１５Ｓ）。
【００６２】
もし、上記命令語がＣｏｎｔｅｎｔｓアイコン１２によるコンテンツデータ（インデックス）であれば（１４Ｓ）、コンテンツデータ（インデックス）を受信し（１６Ｓ）、該インデックスに該当するオーディオ信号及びビデオ信号をメモリー２０２から読み取り（１７Ｓ）、オーディオ信号はオーディオ出力部２０３を通じてスピーカー／ヘッドホンまたは無線送信部２０５から出力すると同時に、ビデオ信号を表示部２０６に表示する（１８Ｓ）。
【００６３】
また、講義者用端末機１２０で個別学習アイコン１４または電源（ＯＦＦ）アイコン１５が選択されて伝送されると、受講者用端末機１３０は、上記と同様の方法で命令語を認識して個別的に学習が行われるようにする（１９Ｓ）、または、端末機の電源をオフする（２０Ｓ）。
【００６４】
上述の如く、別の制御装置を用いずに、インデックス及び制御アイコンが印刷されている教材のみでグループ形態の学習室の機能を完壁に具現することができる。
【符号の説明】
【００６５】
１１０  教材
１１１  インデックス
１１２  制御アイコン
１２０  講義者用端末機
１３０  受講者用端末機
１４０  ネットワーク
１５０，１８０  入力部
１６０，２００  処理部
１７０  通信部
１９０  受信部
１２１，１５１  センサー
１５２，１８２  変換部
１６１，２０１  中央処理装置
１６２，２０２  メモリー
１６３，２０３  オーディオ出力部
１６４，２０４  ヘッドホンジャック
１６５，２０５  無線送信部
１６６，２０６  表示部
１７１，１９１  通信モジュール
１７２，１９２  モジュラージャック
【図１】
2010527044.tif 000003
【図２】
2010527044.tif 000004
【図３】
2010527044.tif 000005
【図４】
2010527044.tif 000006
【図５】
2010527044.tif 000007
【図６】
2010527044.tif 000008
【図７】
2010527044.tif 000009
【図８】
2010527044.tif 000010
【国際調査報告】
2010527044.tif 000011
2010527044.tif 000012